(57)【特許請求の範囲】
【請求項１】
少なくとも一部のページが、文字データと画像データを含む複数種類の素材データから構成される、複数のページを有するコンテンツを表示画面上に表示する表示装置において、
少なくともページの一部が、素材データの内容も含めてレイアウト表示され、所定の操作に応じて、いま表示されている情報に替えて、その情報を含むページの次のページまたは前のページの情報を表示させる第１のモードによる前記表示画面上の表示と、前記素材データのうちの特定の素材データが詳細に表示される、素材単位の表示モードである第２のモードによる前記表示画面上の表示を制御する表示制御手段と、
前記表示画面上の所定の領域が指示されたことを検出する検出手段と
を備え、
前記検出手段が、前記第１のモードにおいて、特定の素材データが表示されている領域が指示されていることを検出すると、前記表示制御手段は、前記表示画面上でのページレイアウト表示に代えて前記第２のモードによる、前記指示された素材データの詳細な表示に変更する
ことを特徴とする表示装置。
【請求項２】
前記素材データには、さらに、音声データが含まれ、
前記検出手段が、前記表示画面上で前記音声データの再生に対応付けられた領域が指示されていることを検出すると、前記音声データが再生される
ことを特徴とする請求項１に記載の表示装置。
【請求項３】
前記第１のモードにおける所定の操作は、前記特定の素材データが表示される領域以外の領域で行われる、互いに異なる方向への移動に対応付けられた操作であって、
前記所定の操作が前記第２のモードにおいて行われた場合に、前記指示された素材データの表示に代えて、前記指示された素材データの次にレイアウト表示される素材データまたは前にレイアウト表示される素材データを表示する
ことを特徴とする請求項１に記載の表示装置。
【請求項４】
前記表示制御手段は、さらに、前記第１のモードにおいて、前記検出手段により前記表示画面上で指示されていることが検出された素材データを、強調して表示する
ことを特徴とする請求項１に記載の表示装置。
【発明の詳細な説明】
【０００１】
【産業上の利用分野】
本発明は、例えば新聞の見出しのみが見える縮小画面や、その各見出しに対応する記事などに階層化された新聞データなどの情報を、ユーザの操作に応じて表示するコンピュータやその他の端末などに用いて好適な表示装置に関する。
【０００２】
【従来の技術】
従来のコンピュータにおいては、例えば次のようにして情報の表示が行われるようになされている。即ち、図１５は、いわゆるテレビゲーム用のコンピュータの一例の構成を示している。この場合、ゲーム機からは、所定のゲームプログラムにしたがった画像信号が発生され、その画像信号に対応する画像（情報）が、ゲーム機と接続されたテレビジョン受像機で表示される。
【０００３】
コントローラ１３０は、例えばボタン１３１乃至１３５と、十字カーソルキー１３６とで構成され、これらを操作することにより、テレビジョン受像機に表示された画像としての、ゲームのキャラクタやカーソルなどが移動されたり、あるいはゲーム機に所定の処理を行わせることができるようになされている。なお、ボタン１３１乃至１３５や十字カーソルキー１３６の操作は、通常、ゲーム機で実行されるゲームプログラムによって異なる意味を持つ。
【０００４】
ところで、このようなコントローラ１３０の十字カーソルキー１３６の操作が、例えばカーソルの移動処理に割り当てられた場合、カーソルの微細な移動などが困難で、使い勝手が悪かった。即ち、例えばある画面から次の画面に進むのに、カーソルを、画面上の所定の領域に移動して、その領域をボタン１３１乃至１３５のうちのいずれかで指定する必要がある場合、その領域が小さいときには、その領域ではなく、他の領域を指定してしまうことがあった。
【０００５】
このように、ゲーム機では、十字カーソルキー１３６の操作により画面上の座標を指示することはできるが、そのパフォーマンスや制御性は良いものではなかった。
【０００６】
また、このようなゲーム機では、コントローラ１３０の操作の標準化がなされていないので、複数の目的の情報が共存するアプリケーションプログラムを作成することが困難であった。
【０００７】
さらに、コントローラ１３０は、片手で操作することが困難であった。
【０００８】
次に、図１６は、従来の他のコンピュータ（例えば、アップル社のパーソナルコンピュータ「マッキントッシュ（商標）」など）で採用されているＧＵＩ（Graphical User Interface）による表示画面１１１の一例を示している。この表示画面１１１は、選択肢表示領域１１３および背景１１２で構成されている。そして、背景１１２には、アイコン１１８および１１９が配置され、さらに２つのウインドウ１１４および１１５がオープンされている。
【０００９】
ウインドウ１１４（ウインドウ１１５も同様）は、ヘッダ１１６と情報表示領域１１７とで構成されている。図１７の拡大図に示すように、ヘッダ１１６は、ウインドウ１１４の上部に配置され、その中央部分の領域であるウインドウ名表示領域１１６ａには、ウインドウ１１４に付された名前が表示される。情報表示領域１１７内には、情報を表示することができるようになされている。
【００１０】
このような表示画面１１１上には、例えばカーソル（図示せず）が表示され、そのカーソルは、例えば図１８に示すようなマウス１０１を操作することにより移動することができるようになされている。また、マウス１０１には、ボタン１０２が１つだけ設けられ、このボタン１０２を操作することにより、カーソルが指示している位置を選択することができるようになされている。
【００１１】
マウス１０１によれば、カーソルの移動量を微細に調整することができる。
【００１２】
例えば、ユーザが、マウス１０１を操作することにより、カーソルをアイコン１１８（図１６）を指示するように移動して、そこでボタン１０２を操作すると（クリックまたはダブルクリックすると）、そのアイコン１１８に対応するウインドウがオープンされる。また、上述した選択肢表示領域１１３（図１６）の中の所定の領域を、カーソルによって選択すると（所定の領域にカーソルが移動され、その位置でボタン１０２（図１８）が操作されると）、オープンされたウインドウ（アクティブなウインドウ）はクローズされ、アイコン化される。
【００１３】
ウインドウは、図１６（図１７）に示したように、重複して配置することが可能であるが、アクティブなウインドウは１つだけである。アクティブなウインドウは、最前面に表示され、またそのヘッダも、アクティブでないウインドウのヘッダとは異なるように表示される。従って、ユーザは、アクティブなウインドウがいずれであるかを、ウインドウの表示位置（最前面に表示されているかどうか）またはヘッダの表示状態を見て判断する。
【００１４】
上述した図１６の表示画面１１１を構成する選択肢表示領域１１３には、アクティブなウインドウで起動されているアプリケーションで使用されるコマンドなどが表示される。従って、選択肢表示領域１１３の表示内容は、アクティブなウインドウが変更されることにより変化する。そして、選択肢表示領域１１３に表示されたコマンドが、カーソルにより選択されると（コマンドの表示部分にカーソルが移動され、その位置でボタン１０２（図１８）が操作されると）、そのコマンドに対応する処理が、アクティブなウインドウを対象として行われる。あるいは、そのコマンドに対応する処理を細分化した処理に対応するコマンドが、例えばプルダウンメニューやポップアップメニューで表示され、その中のコマンドが、カーソルにより選択されると、そのコマンドに対応する処理が、アクティブなウインドウを対象として行われる。
【００１５】
なお、プルダウンメニューやポップアップメニューの使用にあたっては、所望するコマンドが、どのプルダウンメニュー（あるいはポップアップメニュー）内に存在するのかを、ユーザが知らない場合には、その所望するコマンドを探し出す必要がある。
【００１６】
次に、図１９は、従来の、さらに他のコンピュータで採用されているＧＵＩ（例えば、マイクロソフト社の「ＷＩＮＤＯＷＳ（商標）」など）による表示画面１１１の一例を示している。なお、図中、図１６における場合と対応する部分については、同一の符号を付してある。
【００１７】
この表示画面１１１は、背景１１２で構成されている。そして、背景１１２には、アイコン１１８および１１９が配置され、さらに２つのウインドウ１１４および１１５に加え、ウインドウ１２０がオープンされている。
【００１８】
ウインドウ１１４（ウインドウ１１５および１２０も同様）は、ヘッダ１１６、選択肢表示領域１１３、および情報表示領域１１７で構成されている。図２０の拡大図に示すように、ヘッダ１１６および選択肢表示領域１１３は、ウインドウ１１４の上部に順次配置されている。そして、ヘッダ１１６の左端には、制御ボックス１２３が配置され、またその右端には、クローズボックス１２１および拡大ボックス１２２が配置されている。
【００１９】
選択肢表示領域１１３には、ウインドウ１１４で起動されているアプリケーションで使用されるコマンドなどが表示される。
【００２０】
このような表示画面１１１上におけるカーソルは、例えば図２１に示すようなマウス１０１を操作することにより移動することができるようになされている。また、マウス１０１には、ボタン１０２Ｌおよび１０２Ｒの２つが設けられている。ボタン１０２Ｌの操作は、図１８で説明したボタン１０２の操作と同様の意味を持つが、ボタン１０２Ｒの操作の意味は、アプリケーションごとに規定することができるようになされている。即ち、この場合、マウス１０１に設けられた２つのボタン１０２Ｌおよび１０２Ｒの操作の意味は、明確に区別されている。
【００２１】
例えば、ユーザが、マウス１０１を操作し、カーソルをアイコン１１８（図１９）を指示するように移動して、そこでボタン１０２Ｌを操作すると、そのアイコン１１８に対応するウインドウがオープンされる。また、オープンされているウインドウとしての、例えばウインドウ１１４のクローズボックス１２１（図２０）をカーソルによって選択すると（クローズボックス１２１にカーソルが移動され、その位置でボタン１０２Ｌ（図２１）が操作されると）、ウインドウ１１４はクローズされ、アイコン化される。
【００２２】
さらに、ウインドウ１１４の拡大ボックス１２２（図２０）がカーソルによって選択されると、ウインドウ１１４が拡大されて表示画面１１１（背景１１２）（図１９）全体に表示される。また、ウインドウ１１４の制御ボックス１２３（図２０）がカーソルによって選択されると、このウインドウ１１４を対象として処理を行うコマンドなどが、例えばプルダウンメニューやポップアップメニューで表示される。そして、そのプルダウンメニューやポップアップメニューの中のコマンドが、カーソルにより選択されると、そのコマンドに対応する処理が、ウインドウ１１４を対象として行われる。
【００２３】
また、選択肢表示領域１１３（図１９、図２０）に表示されたコマンドが、カーソルにより選択されると、そのコマンドに対応する処理が、ウインドウ１１４を対象として行われる。あるいは、そのコマンドに対応する処理を細分化した処理に対応するコマンドが、例えばプルダウンメニューやポップアップメニューで表示され、その中のコマンドが、カーソルにより選択されると、そのコマンドに対応する処理が、ウインドウ１１４を対象として行われる。
【００２４】
なお、この場合においても、図１６乃至図１８で説明したように、ウインドウは、重複して配置することが可能であるが、アクティブなウインドウは１つだけである。また、アクティブなウインドウかどうかも、図１６乃至図１８で説明した場合と同様にして判断することができるようになされている。
【００２５】
【発明が解決しようとする課題】
ところで、図１６乃至図１８で説明したコンピュータにおいては、アクティブなウインドウに対応して、図１６に示した選択肢表示領域１１３の表示内容を変更しなければならず、このため画面制御が複雑になり、装置が高コスト化する課題があった。
【００２６】
また、図１９乃至図２１で説明したコンピュータにおいては、例えばウインドウ１１４に注目した場合、図２０に示したように、ヘッダ１１６の他、クローズボックス１２１、拡大ボックス１２２、制御ボックス１２３、および選択肢表示領域１１３などが、ウインドウ１１４内に表示される。従って、実際に情報を表示する領域である情報表示領域１１７が狭くなる課題があった。その結果、表示した情報の相対的価値が低下する課題があった。
【００２７】
さらに、マウス１０１によるカーソルの操作性は、図１５で説明したコントローラ１３０によるカーソルの操作性よりは良いが、図２０に示したクローズボックス１２１、拡大ボックス１２２、制御ボックス１２３などは、通常、小さい領域とされているため、誤操作が生じる課題があった。
【００２８】
また、図１５乃至図２１で説明したコンピュータに、例えばジャンル（総合欄とか経済欄、テレビ欄など）単位などで分けられた新聞データであって、各ジャンルのデータが、ページ単位、各ページの記事単位、各記事を構成する素材（例えば、記事を構成する写真、文書、図表、見出しなど）単位などでさらに分けられることにより階層化された新聞データを表示させ、ページめくりや、階層方向への表示の変更を行わせる場合、例えば、まずページめくりおよび階層方向への表示の変更のうちのいずれを行うのかをマウス１０１やコントローラ１３０を操作して指定し、さらに、ページめくりを行うのであれば、前ページおよび次ページのうちのいずれに表示を変更するのかを、階層方向への表示の変更を行うのであれば、上位階層および下位階層のうちのいずれに表示を変更するのかを、さらにマウス１０１やコントローラ１３０を操作して指定しなければならなかった。
【００２９】
即ち、ある処理を行わせる場合に、複数の操作を行う必要があり、ユーザに煩わしさを感じさせる課題があった。
【００３０】
本発明は、このような状況に鑑みてなされたものであり、表示画面の構成を簡素化することにより、装置のコストを低減するとともに、表示した情報の相対的価値を向上させ、さらには装置の操作性を向上させることができるようにするものである。
【００３１】
【課題を解決するための手段】
本発明の表示装置は、少なくとも一部のページが、文字データと画像データを含む複数種類の素材データから構成される、複数のページを有するコンテンツを表示画面上に表示する表示装置において、少なくともページの一部が、素材データの内容も含めてレイアウト表示され、所定の操作に応じて、いま表示されている情報に替えて、その情報を含むページの次のページまたは前のページの情報を表示させる第１のモードによる表示画面上の表示と、素材データのうちの特定の素材データが詳細に表示される、素材単位の表示モードである第２のモードによる表示画面上の表示を制御する表示制御手段と、表示画面上の所定の領域が指示されたことを検出する検出手段とを備え、検出手段が、第１のモードにおいて、特定の素材データが表示されている領域が指示されていることを検出すると、表示制御手段は、表示画面上でのページレイアウト表示に代えて第２のモードによる、指示された素材データの詳細な表示に変更することを特徴とする。
【００３２】
この表示装置で扱う素材データには、さらに、音声データが含まれ、検出手段が、表示画面上で音声データの再生に対応付けられた領域が指示されていることを検出すると、音声データが再生される。また、第１のモードにおける所定の操作は、特定の素材データが表示される領域以外の領域で行われる、互いに異なる方向への移動に対応付けられた操作であって、所定の操作が第２のモードにおいて行われた場合に、指示された素材データの表示に代えて、指示された素材データの次にレイアウト表示される素材データまたは前にレイアウト表示される素材データを表示する。さらに、表示制御手段は、第１のモードにおいて、検出手段により表示画面上で指示されていることが検出された素材データを、強調して表示する。
【００３３】
【作用】
本発明の表示装置においては、少なくとも一部のページが、文字データと画像データを含む複数種類の素材データから構成される、複数のページを有するコンテンツを表示画面上に表示され、少なくともページの一部が、素材データの内容も含めてレイアウト表示され、所定の操作に応じて、いま表示されている情報に替えて、その情報を含むページの次のページまたは前のページの情報を表示させる第１のモードと、素材データのうちの特定の素材データが詳細に表示される素材単位の表示モードである第２のモードが設けられ、第１のモードにおいて、特定の素材データが表示されている領域が指示されていることが検出されると、表示画面上でのページレイアウト表示に代えて第２のモードによる、指示された素材データの詳細な表示に変更される。
【００３４】
従って、いま表示されている情報に代えて他の情報を表示させるためのコマンドに対応する表示を、表示画面３１上に配置しなくて済むので、表示画面３１の構成を簡素化することができ、その結果、装置のコストを低減し、また表示した情報の相対的価値を向上させることができる。
【００３５】
さらに、情報表示領域３２および背景３３のうちのいずれが指示されたかによって、いま表示されている情報と同階層に属する他の情報か、あるいはその情報と異なる階層に属する情報が、いわば一意的に表示されるので、ユーザは複数の操作を行わずに済み、従って装置の操作性を向上させることができる。
【００３６】
【実施例】
図１は、本発明の表示装置の一実施例の構成を示している。記録媒体１０には、階層化されている情報としての、例えば新聞データその他が記録されている。この新聞データは、例えば商況欄、総合欄、トップ面（一面）、テレビ欄、経済欄、社会欄などのようなジャンル単位で分けられており、さらに各ジャンルの新聞データは、例えばページ単位のデータ、各ページの記事単位のデータ、各記事を構成する素材単位のデータ、各素材に関連する関連情報単位のデータなどに階層化されている（本実施例では、ページ単位のデータ、記事単位のデータ、素材単位のデータ、関連情報単位のデータの順で、階層が低くなっていくものとする）。そして、階層化された新聞データのうちの関係するものどうしは、関連付けられている。即ち、例えばページ単位のデータは、そこに含まれる記事に対応する記事単位のデータと関連付けられている。また、記事単位のデータは、その記事を構成する素材に対応する素材単位のデータと関連付けられている。
【００３７】
なお、素材には、例えば記事を構成する写真、文書、図表、見出しなどの他、記事の一部の領域を占めている広告なども含まれるものとする。
【００３８】
また、新聞データは、テキストデータ、画像データ（静止画、動画）、音声データを必要に応じて組み合わせたマルチメディアデータとすることができる。
【００３９】
図１の表示装置によれば、記録媒体１０に記録されている新聞データを、必要に応じて読み出し、表示装置２に表示させることができるようになされている。
【００４０】
即ち、ユーザが、例えばマウス３を操作すると、その操作に対応する信号（操作信号）が、座標検出装置６で発生され、処理装置９に入力される。あるいは指示検出装置７により、マウス３の操作に対応する操作信号が発生され、座標検出装置６を介して、処理装置９に入力される。処理装置９は、入力された操作信号にしたがった処理を行うことにより、記録媒体１０から、新聞データを読み出し、表示制御装置５に出力する。表示制御装置５は、処理装置９からの新聞データを、例えばＡ／Ｄ変換してアナログ信号にし、例えばＮＴＳＣ方式のテレビジョン受像機やコンピュータ用のディスプレイなどでなる表示装置２に出力する。これにより、表示装置２では、新聞データが表示される。
【００４１】
マウス３は、例えば図２に示すように、２つのボタン３Ｌおよび３Ｒを、その左右の部分に備えている。図１の表示装置では、ボタン３Ｌまたは３Ｒの操作は、いわば「前進」または「後退」の意味を持つようになされている（詳細は、後述する）。
【００４２】
図１に戻り、表示装置２には、カーソル１が表示されるようになされており、ユーザが、マウス３を操作することにより、カーソル１を移動し、表示装置２の画面上の位置を指示することができるようになされている。即ち、マウス３が操作されると、その操作に対応する移動量が、座標検出装置６で検出され、処理装置９に入力される。処理装置９は、座標検出装置６からの移動量に対応して、表示制御装置５を制御し、これにより表示装置２に表示されたカーソル１が、上述の移動量だけ移動される。
【００４３】
なお、座標検出装置６は、マウス３の移動量の他、移動後のカーソル１の座標も検出し、検出した座標値を、その内蔵するメモリに記憶するようになされている。
【００４４】
また、座標検出装置６で検出されたマウス３の移動量は、処理装置９でなく、表示制御装置５に直接供給するようにし、これにより表示制御装置５に、表示装置２に表示されたカーソルを移動させるようにすることが可能である。
【００４５】
指示検出装置７は、マウス２（図２）のボタン３Ｌ，３Ｒが操作されたことを検出し、検出結果を座標検出装置６に出力するようになされている。座標検出装置６は、ボタン３Ｌまたは３Ｒが操作されたことを認識すると、検出しているカーソル１の座標値と、ボタン３Ｌおよび３Ｒのうちのいずれが操作されたのかを、処理装置９に知らせる。
【００４６】
キーボード４は、処理装置９に所定の処理を行わせるときに操作される。キーボード４は、通常のキーボードと同様に、アルファベット、カナ、数字、その他のコードに対応するキーの他、拡張機能に対応する処理を処理装置９に実行させるときに操作される特殊キーとして、例えば図３に示すようなキーを含んでいる。
【００４７】
このように、拡張機能に対応する処理に、キーボード４を割り当てることにより、そのような処理を行わせるためのコマンドを、表示装置２で表示せずに済むようになり、その結果、表示装置２で新聞データを表示する領域を広くとることができる。
【００４８】
キーボード４が操作されると、いずれのキーが操作されたかが、拡張入力検出装置８によって検出される。この検出信号は、座標検出装置６を介して、処理装置９に入力され、処理装置９では、入力された検出信号に対応する処理（例えば、表示装置２に表示されている記事の印刷（ハードコピー）や、そのページめくりなど）が行われる。
【００４９】
表示制御装置５、座標検出装置６、指示検出装置７、および拡張入力検出装置８は、図１の表示装置の前処理（Pre-Processing）を担当する部分である。
【００５０】
図４は、処理装置９の詳細構成例と、記録媒体１０に記録されているデータファイルを示している。
【００５１】
処理装置９は、マウス３を操作することによりカーソル１によって指示された表示装置２の画面上の位置に応じて、表示装置２を制御するようになされている。即ち、処理装置９では、座標検出装置６より出力された信号（カーソルの座標値、マウス３のボタン３Ｌまたは３Ｒが操作されたことを示す信号）を、いわばトリガとして、ユーザインターフェイス（User Interface:UI）制御を行うフロントエンド（Front-End）を構成する背景制御（Background Control）部１１、ページアイコン制御（Page Indication Control）部１２、見出し制御（Article Index Control）部１３、記事制御（Object Index Control）部１４、素材制御（Object Controls）部１５、およびオプション機能制御（Switch Controls）部１６のうちのいずれか（１つあるいは複数）が起動される。
【００５２】
具体的には、後述する図５に示す表示装置２の表示画面３１上の背景３３またはページアイコン部４２にカーソル１が位置しているときには、背景制御部１１またはページアイコン制御部１２がそれぞれ起動される。また、情報表示領域３２に表示されたページ単位の新聞データの見出し、記事、または素材にカーソル１が位置しているときには、見出し制御部１３、記事制御部１４、または素材制御１５がそれぞれ起動される。さらに、表示画面３１上のオプションアイコン４１にカーソル１が位置しているときには、オプション機能制御部１６が起動される。
【００５３】
上述したように、座標検出装置６は、カーソル３１の座標値を記憶しており、その座標値に応じて、背景制御部１１、ページアイコン制御部１２、見出し制御部１３、記事制御部１４、素材制御部１５、およびオプション機能制御部１６のうちのいずれかを起動する。
【００５４】
そして、起動されたフロントエンド（背景制御部１１、ページアイコン制御部１２、見出し制御部１３、記事制御部１４、素材制御部１５、およびオプション機能制御部１６のうちのいずれか）によって、座標検出装置６より出力される信号と、表示装置２（図１）の表示状態に対応して、最終的な処理装置群（Back-End）であるコンフィグレイションマネジャ（Configuration Manager）１７、ページレイアウトマネジャ（Page Layout Manager）１８、アーティクルマネジャ（Article Maneger）１９、およびオブジェクトマネジャ（Object Maneger）２０のうちのいずれか（１つあるいは複数）が起動される。
【００５５】
即ち、マウス３（あるいはキーボード４）を操作することにより、表示装置２の表示画面全体に影響する処理が指示された場合には、その画面に表示される情報（本実施例では、新聞データ）の全体構成の管理を行うコンフィグレイションマネジャ１７が起動され、そこで処理が行われる。具体的には、記録媒体１０に記録されている情報（新聞データ）全体の構成情報（Main TOC）のファイル２１が参照され、マウス３の操作（入力イベント）に対応する次の処理が決定された後、必要に応じて、ページレイアウトマネジャ１８、アーティクルマネジャ１９、またはオブジェクトマネジャ２０が起動される。
【００５６】
また、マウス３（あるいはキーボード４）を操作することにより、階層化された新聞データのうちの最上位階層に属するページ単位のデータの表示に影響する指示がされた場合には、ページ単位の構成の管理を行うページレイアウトマネジャ１８が起動され、そこで処理が行われる。即ち、記録媒体１０に記録されている新聞データの画面単位の構成情報（Page TOCs）のファイル２２が参照され、マウス３の操作（入力イベント）に対応する次の処理が決定された後、必要に応じて、コンフィグレイションマネジャ１７、アーティクルマネジャ１９、またはオブジェクトマネジャ２０が起動される。
【００５７】
さらに、マウス３（あるいはキーボード４）を操作することにより、階層化された新聞データのうちの中位階層に属する記事単位のデータの表示に影響する指示がされた場合には、記事単位の構成の管理を行うアーティクルマネジャ１９が起動され、そこで処理が行われる。即ち、記録媒体１０に記録されている新聞データのページ画面単位の２次元的な表示イメージ情報（Page Images）のファイル２３、画面上のある領域を占める記事の構成の情報（Article TOCs）のファイル２４、および記事を処理する際に使用する個別情報（Article Options）のファイル２５が参照され、マウス３の操作（入力イベント）に対応する次の処理が決定された後、必要に応じて、コンフィグレイションマネジャ１７、ページレイアウトマネジャ１８、またはオブジェクトマネジャ２０が起動される。
【００５８】
また、マウス３（あるいはキーボード４）を操作することにより、階層化された新聞データのうちの下位階層に属する素材単位のデータまたは関連情報単位のデータの表示に影響する指示がされた場合には、個別構成要素に対する処理を行うオブジェクトマネジャ２０が起動され、そこで処理が行われる。即ち、記録媒体１０に記録されている新聞データの記事の構成要素（文字、音声、静止画、動画など）別のデータ（Object Data）のファイル２６および記事の構成要素を処理する際に使用する個別情報（Object Option）のファイル２７が参照され、マウス３の操作（入力イベント）に対応する次の処理が決定された後、必要に応じて、オプション機能制御部１６、コンフィグレイションマネジャ１７、ページレイアウトマネジャ１８、またはアーティクルマネジャ１９が起動される。
【００５９】
処理装置９における処理結果は、その処理結果を得るために起動されたブロック経由で、表示制御装置５（図１）に供給され、表示制御処理装置５では、供給された処理結果にしたがって、表示装置２の表示内容が変更される。
【００６０】
次に、図５は、以上のようにして表示が行われる表示装置１の表示画面３１の構成例を示している。この表示画面３１に対する基本的な指示（例えば、ページめくりや、階層方向への表示の変更などの指示）は、マウス３を操作して、カーソル１（図５においては、図示せず）を移動し、マウス３のボタン３Ｌ，３Ｒを操作することによって行うことができるようになされている。
【００６１】
ここで、図６に、処理装置９において、カーソル１の位置と、マウス３のボタン３Ｌ，３Ｒの操作にしたがって行われる処理の一覧を示す。
【００６２】
図５において、表示画面３１は、情報表示領域３２およびページアイコン部４２と、その他の領域である背景３３から構成されており、ページアイコン部４２は、複数のページアイコン３４、移動ボタン３５、および３６で構成されている。ページアイコン３４は、新聞データの最上位階層に属するページ単位のデータに対応するアイコンで、情報表示領域３２を共有する複数の情報（新聞データ）を代表するものとして用意されている。
【００６３】
図６に示したように、ページアイコン３４上にカーソル１が位置しているときに、マウス３のボタン３Ｌが操作されると、そのカーソル１が位置しているページアイコン３４に対応するページ単位のデータに、情報表示領域３２の表示内容が変更される（カーソル１が位置しているページアイコン３４に対応する新聞データのページに、ダイレクトにジャンプする）。なお、ページアイコン３４上にカーソル１が位置しているときに、マウス３のボタン３Ｒが操作されても、特に処理は行われない。
【００６４】
ところで、ページ単位の新聞データが、数多く存在する場合、それらのすべてをページアイコン３４として表示するようにすると、情報表示領域３２が狭くなる。そこで、図５においては、所定の数のページアイコン３４だけを表示するようにし、その他のページアイコンは、移動ボタン３５または３６を操作（カーソル１を移動ボタン３５または３６上に位置するように移動し、そこでマウス３のボタン３Ｌ（３Ｒ）を操作）することにより、ページアイコン３６を左右に移動させることができるようになされている。
【００６５】
即ち、図６に示したように、移動ボタン３５または３６上にカーソル１が位置しているときに、マウス３のボタン３Ｌが操作されると、ページアイコン３６が左または右にそれぞれ移動され、これにより、いままで表示されていなかったページアイコンが表示される。なお、移動ボタン３５または３６上にカーソル１が位置しているときに、マウス３のボタン３Ｒが操作されても、特に処理は行われない。
【００６６】
次に、図５において、情報表示領域３２には、新聞データ（ページ単位のデータ、記事単位のデータ、素材単位のデータ、関連情報単位のデータ）が表示される。なお、新聞データは、情報表示領域３２の全体に表示させることもできるし、また、その一部に表示させることができるようにもなされている。
【００６７】
図６に示したように、情報表示領域３２に新聞データが表示されている場合において、背景３３上にカーソル１が位置しているときに、マウス３のボタン３Ｌが操作されると、いま情報表示領域３２に表示されている新聞データに代えて、その新聞データの階層と同階層に属する次の（次ページの）新聞データが表示される。また、背景３３上にカーソル１が位置しているときに、マウス３のボタン３Ｒが操作されると、いま情報表示領域３２に表示されている新聞データに代えて、その新聞データの階層と同階層に属する前の（前ページの）新聞データが表示される。
【００６８】
即ち、この場合、ページめくりが行われる。具体的には、例えば情報表示領域３２にページ単位の新聞データが表示されている場合において、背景３３上にカーソル１が位置しているときに、マウス３のボタン３Ｌが操作されると、その次のページのページ単位の新聞データが、情報表示領域３２に表示され、また、マウス３のボタン３Ｒが操作されると、その前のページの新聞データが、情報表示領域３２に表示される。
【００６９】
このように、マウス３のボタン３Ｌが操作されると、次ページの新聞データが表示され、マウス３のボタン３Ｒが操作されると、前ページの新聞データが表示されることから、ボタン３Ｌまたはボタン３Ｒは、上述したように「前進」または「後退」の意味を持つ。
【００７０】
次に、図５において、情報表示領域３２に、例えばページ単位の新聞データが表示されており、そのある位置にカーソル１が位置しているとき、その位置を含む範囲に表示されている記事３７は、強調して表示される（このように強調して表示されている記事を、以下、適宜、強調記事という）。
【００７１】
そして、その記事３７がインデックスである場合において（記事３７と関連付けられた、その下位階層に属する新聞データが存在する場合において）、情報表示領域３２のうちの、記事３７が表示されている領域内にカーソル１が位置しているときに、マウス３のボタン３Ｌが操作されると、記事３７をインデックスとする、その下位階層に属する新聞データが、情報表示領域３２に表示される（図６）。
【００７２】
なお、上述のようにしてマウス３のボタン３Ｌが操作された場合には、ウインドウとしての補足領域３８をオープンし、そこに、記事３７をインデックスとする、その下位階層に属する新聞データを表示さするようにすることも可能である。補足領域３８は、タイトル領域３９と情報領域４０とで構成される。情報領域４０には、記事３７をインデックスとする、その下位階層に属する新聞データが表示され、タイトル領域３９には、例えばその新聞データのタイトル（あらかじめ、その新聞データに付されている）が表示される。
【００７３】
また、記事３７をインデックスとして有する新聞データが存在する場合において（記事３７と関連付けられた、その上位階層に属する新聞データが存在する場合において）、情報表示領域３２のうちの、記事３７が表示されている領域内にカーソル１が位置しているときに、マウス３のボタン３Ｒが操作されると、その記事３７をインデックスとして有する新聞データが、情報表示領域３２に表示される（図６）。
【００７４】
次に、図５に示した表示装置２の表示画面３１には、オプションアイコン４１を表示させることができる。図６に示したように、オプションアイコン４１上にカーソル１が位置しているときに、マウス３のボタン３Ｌが操作されると、例えば、いま表示されている新聞データが、合成音により出力されたり、またその新聞データに関連する記事が表示されたりなどの特殊な処理が行われる。一方、オプションアイコン４１上にカーソル１が位置しているときに、マウス３のボタン３Ｒが操作されても、特に処理は行われない。
【００７５】
なお、オプションアイコン４１は、表示しないようにすることができる。オプションアイコン４１を表示しないようにした場合には、そのオプションアイコン４１が操作されることにより行われる処理は、キーボード４（図１）を操作することにより行われるようにすることができる。
【００７６】
次に、図７乃至図９を参照して、情報表示領域３２、背景３３、またはページアイコン部４２に、カーソル１が移動された（位置している）場合における表示装置２の表示画面３１の構成について、さらに説明する。
【００７７】
カーソル１が、背景３３内に移動された場合には、図７（ａ）に示すように、情報表示領域３２が、その他の領域に比較して、例えば明るくされることにより、そこに新聞データが強調して表示される。さらに、この場合、カーソル１の形状は、例えば図７（ｂ）に示すように、横方向の移動、即ち同階層の新聞データに表示の変更が行われるような、いわばページめくり感覚の形状に変更される（この形状のカーソル１を、以下、ページめくりカーソルという）。これにより、ユーザは、特にマニュアルなどを参照しなくても、マウス３のボタン３Ｌ，３Ｒを操作して、背景３３を指示することにより、上述したようなページめくりが行われることを認識することができる。
【００７８】
次に、カーソル１が、情報表示領域３２内の記事３７が表示された領域内に移動された場合には、図８（ａ）に示すように、その記事３７が表示された領域が、その他の領域に比較して、例えば明るくされることにより、そこに記事３７が強調して表示される。さらに、この場合、図５で説明した補足領域３８が表示されているときには、その補足領域３８に表示された新聞データも強調して表示される。
【００７９】
そして、この場合、カーソル１の形状は、例えば図８（ｂ）に示すように、深さ方向の移動（前後の移動）、即ち異なる階層の新聞データに表示の変更が行われるような形状に変更される（以下、この形状のカーソル１を、階層方向カーソルという）。これにより、ユーザは、特にマニュアルなどを参照しなくても、マウス３のボタン３Ｌ，３Ｒを操作して、情報表示領域３２のうちの、新聞データが強調されて表示されている領域を指示することにより、上述したような上位階層または下位階層に属する新聞データへの表示の変更（以下、適宜、階層方向への表示の変更という）が行われることを認識することができる。
【００８０】
なお、記事３７の下位階層に属する新聞データ、即ち記事３７を構成する素材の画面が存在しない場合には、カーソル１が、情報表示領域３２内の記事３７が表示された領域内にあっても、その領域を強調しないようにすることができる。
【００８１】
また、カーソル１が、ページアイコン部４２内に移動された場合には、図９（ａ）に示すように、ページアイコン部４２が、その他の領域に比較して、例えば明るくされることにより強調して表示される。さらに、この場合、カーソル１の形状は、例えば図９（ｂ）に示すように、選択が行われるような、いわば押す感覚の形状に変更される（以下、この形状のカーソル１を、選択カーソルという）。これにより、ユーザは、特にマニュアルなどを参照しなくても、マウス３のボタン３Ｌを操作して、ページアイコン部４２を指示することにより、上述したようなページアイコン３４（図５）に対応する新聞データのページに、ダイレクトにジャンプすることや、ページアイコン３４の表示が変更されることを認識することができる。
【００８２】
以上のように、処理の対象となる部分が強調されるので、ユーザは、処理の対象となっている部分を容易に認識することができる。さらに、カーソル１の形状が、上述したように変更されるので、ユーザは、マウス３のボタン３Ｌ，３Ｒを操作することにより行われる処理も容易に認識することができる。
【００８３】
また、ページめくりや、階層方向への表示の変更、ページアイコン３４の選択などが、所定の領域を、マウス３により指示する（所定の領域にカーソル１が位置しているときに、マウス３のボタン３Ｌ，３Ｒを操作する）だけで行うことができるので、装置の操作性を向上させることができる。即ち、ページめくりや、階層方向への表示の変更、ページアイコン３４の選択などを行うのに、複数の操作を行わずに済むので（単純な操作で済むので）、ユーザに煩わしさを感じさせることを防止することができる。
【００８４】
その結果、ページめくりや、階層方向への表示の変更、ページアイコン３４の選択などに対応するアイコンその他のシンボルを、表示装置２の表示画面３１上に表示せずに済むので、即ち表示画面３１の構成が簡素化されるので、装置のコストを低減し、また表示した情報の相対的価値を向上させることができる。
【００８５】
さらに、カーソル１を移動させて指示する領域（情報表示領域３２、背景３３、ページアイコン部４２）は、従来の場合に比較して広いので、誤操作を防止することができる。
【００８６】
次に、図１０は、以上のようなマウス３の操作により、表示装置２に表示される新聞データが変更される様子を示している。なお、図中、実線の矢印は、「前進」の意味を持つ、マウス３のボタン３Ｌの操作による画面の変更を表しており、また、点線の矢印は、「後退」の意味を持つ、マウス３のボタン３Ｒの操作による画面の変更を表している。さらに、点線は、同階層に属する新聞データの画面が省略されていることを表している。
【００８７】
図１０において、最上段および２段目の画面は、ジャンルごとに分けられた新聞データのうちの、ページ単位の新聞データの画面を表している。同図においては、新聞データは、商況面、・・・、総合面、トップ面、テレビ欄、経済面、・・・、社会面のジャンルに分けられている。上述したように、あるジャンルのページ単位の新聞データの画面からは、カーソル１が背景３３に位置しているときにマウス３のボタン３Ｌを操作することにより、次（図１０において、例えば左方向）のジャンルのページ単位の新聞データの画面に変更することができ、またマウス３のボタン３Ｒを操作することにより、前（図１０において、例えば右方向）のジャンルのページ単位の新聞データの画面に変更することができる。
【００８８】
さらに、あるジャンルのページ単位の新聞データの画面からは、カーソル１が、その画面に表示された記事の領域に位置しているときにマウス３のボタン３Ｌを操作することにより、ページ単位の新聞データの下位階層に属する新聞データである、記事の内容を詳細に表した記事単位の新聞データの画面（図１０において、３および４段目の画面）に変更することができる。
【００８９】
なお、あるジャンルの新聞データが複数ページから構成される場合、そのジャンルの新聞データは、複数のページ単位の新聞データとすることができる。即ち、図１０において、例えば画面５１は、例えば３ページで構成される経済面の新聞データを縮小した画面とされている。そして、その縮小された３ページ分の新聞データの、例えば第１または第２ページの領域に、カーソル１が位置しているときに、「前進」の意味を持つ、マウス３のボタン３Ｌが操作されると、第１および第２ページの経済面の新聞データの画面５２が表示される。従って、この場合、経済面のページ単位の新聞データは、複数の階層のデータ（縮小された３ページ分の新聞データが上位階層のデータであり、第１および第２ページの経済面の新聞データが下位階層のデータ）から構成されているということができる。
【００９０】
次に、図１０において、３段目および４段目の画面は、ページ単位の新聞データの下位階層に属する記事単位の新聞データの画面を表している。上述したように、ある記事単位の新聞データの画面からは、カーソル１が背景３３に位置しているときにマウス３のボタン３Ｌを操作することにより、次の記事単位の新聞データの画面に変更することができ、またマウス３のボタン３Ｒを操作することにより、前の記事単位の新聞データの画面に変更することができる。
【００９１】
さらに、ある記事単位の新聞データの画面からは、カーソル１が、その画面に表示された素材の領域に位置しているときにマウス３のボタン３Ｌを操作することにより、その記事単位の新聞データの下位階層に属する新聞データである、素材の詳細を表した素材単位の新聞データの画面（図１０において、５段目の画面）に変更することができる。また、ある記事単位の新聞データの画面からは、カーソル１が、その画面に表示された素材の領域に位置しているときにマウス３のボタン３Ｒを操作することにより、その記事単位の新聞データを含んで構成されるページ単位の新聞データ、即ち上位階層に属する新聞データの画面に変更することができる。
【００９２】
なお、例えば、記事単位の新聞データのデータ量が多く、１つの画面で、その内容の詳細を表示することができないときは、その記事単位の新聞データは、複数の画面で構成することができる。即ち、図１０において、例えば画面５３は、ある記事単位の新聞データの縮小画面とされている。そして、その縮小された記事単位の新聞データの、任意の領域に、カーソル１が位置しているときに、「前進」の意味を持つ、マウス３のボタン３Ｌが操作されると、その任意の領域の表示内容の詳細を表した新聞データの画面５４が表示される。このような記事単位の新聞データは、経済面のページ単位の新聞データを例として説明した場合と同様に、複数の階層のデータから構成されているということができる。
【００９３】
さらに、図１０において、５段目の画面は、記事単位の新聞データの下位階層に属する素材単位の新聞データの画面を表している。素材単位の新聞データ間における画面の変更は、上述した場合と同様にして行うことができる。
【００９４】
また、ある素材単位の新聞データの画面からは、カーソル１が、その画面に表示された素材の一部の領域に位置しているときにマウス３のボタン３Ｌを操作することにより、その素材単位の新聞データの下位階層に属する新聞データである、その素材に関係する関連情報単位の新聞データの画面（図１０において、最下段の画面）に変更することができる。さらに、ある素材単位の新聞データの画面からは、カーソル１が、その画面に表示された新聞データの領域（情報表示領域３２）に位置しているときにマウス３のボタン３Ｒを操作することにより、その素材単位の新聞データを含んで構成される記事単位の新聞データ、即ち上位階層に属する新聞データの画面に変更することができる。
【００９５】
図１０において、最下段の画面は、素材単位の新聞データの下位階層に属する関連情報単位の新聞データの画面を表している。関連情報単位の新聞データ間における画面の変更は、上述した場合と同様にして行うことができる。さらに、ある関連情報単位の新聞データの画面からは、カーソル１が、その画面に表示された新聞データの領域（情報表示領域３２）に位置しているときにマウス３のボタン３Ｒを操作することにより、その関連情報単位の新聞データに関係する素材単位の新聞データ、即ち上位階層に属する新聞データの画面に変更することができる。
【００９６】
以上から、例えば記事単位の新聞データでなる画面５４が表示されている場合において、情報表示領域３２内のある素材が配置された領域６１にカーソル１が位置しているときに、マウス３のボタン３Ｌが操作されると、画面は、実線の矢印で示すように、その素材単位の新聞データでなる画面５５に変更される。また、例えば画面５５が表示されている場合において、情報表示領域３２内のある領域６２にカーソル１が位置しているときに、マウス３のボタン３Ｌが操作されると、画面は、実線の矢印で示すように画面５３に変更される。さらに、例えば画面５３が表示されている場合において、背景３３内にカーソル１が位置しているときに、マウス３のボタン３Ｒが操作されると、画面は、点線の矢印で示すように画面５６に変更される。また、例えば画面５６が表示されている場合において、背景３３内にカーソル１が位置しているときに、マウス３のボタン３Ｌが操作されると、画面は、実線の矢印で示すように画面５３に変更される。
【００９７】
次に、図１１乃至図１４のフローチャートを参照して、図１の表示装置の動作について、さらに説明する。まず最初に、座標検出装置６では、ステップＳ１において、表示装置２の表示画面３１（図５）上におけるカーソル１の位置（座標）が検出され、ステップＳ２に進み、その位置に基づいて、カーソル１が、表示画面３１を構成する背景３３（図５）内に位置しているか否かが判定される。ステップＳ２において、カーソル１が、背景３３内に位置していると判定された場合、ステップＳ３に進み、処理装置９によって、カーソル１がページめくりカーソル（図７（ｂ））に変更されるとともに、情報表示領域３２が強調され、ステップＳ４に進む。ステップＳ４では、装置のモードがページめくりモードとされ、ステップＳ１に戻る。
【００９８】
装置のモードがページめくりモードとされた場合において、マウス３（図２）のボタン３Ｌまたは３Ｒが操作されたときには、処理装置９では、図１２に示すフローチャートにしたがった処理が行われる。即ち、まず最初に、ステップＳ１１において、「前進」の意味を持つボタン３Ｌが操作されたか否かが判定される。ステップＳ１１において、ボタン３Ｌが操作されたと判定された場合、ステップＳ１２に進み、いま表示されている新聞データに代えて、次の（次ページの）新聞データを表示装置２に表示させるため処理が行われ、処理を終了する。
【００９９】
一方、ステップＳ１１において、ボタン３Ｌが操作されていないと判定された場合、ステップＳ１３に進み、「後退」の意味を持つボタン３Ｒが操作されたか否かが判定される。ステップＳ１３において、ボタン３Ｒが操作されたと判定された場合、ステップＳ１４に進み、いま表示されている新聞データに代えて、前の（前ページの）新聞データを表示装置２に表示させるため処理が行われ、処理を終了する。また、ステップＳ１３において、ボタン３Ｒが操作されていないと判定された場合、ステップＳ１４をスキップして、処理を終了する。
【０１００】
図１１に戻り、ステップＳ２において、カーソル１が、背景３３内に位置していないと判定された場合、ステップＳ５に進み、カーソル１が、表示画面３１を構成する情報表示領域３１に表示された新聞データの一部の領域（以下、特定領域という）に位置しているか否かが判定される。ステップＳ５において、カーソル１が、特定領域内に位置していると判定された場合、ステップＳ６に進み、処理装置９によって、カーソル１が階層方向カーソル（図８（ｂ））に変更されるとともに、特定領域が強調され、ステップＳ７に進む。ステップＳ７では、装置のモードが階層変更モードとされ、ステップＳ１に戻る。
【０１０１】
装置のモードが階層変更モードとされた場合において、マウス３のボタン３Ｌまたは３Ｒが操作されたときには、処理装置９では、図１３に示すフローチャートにしたがった処理が行われる。即ち、まず最初に、ステップＳ２１において、「前進」の意味を持つボタン３Ｌが操作されたか否かが判定される。ステップＳ２１において、ボタン３Ｌが操作されたと判定された場合、ステップＳ２２に進み、いま表示されている新聞データに代えて、その下位階層に属する新聞データを表示装置２に表示させるため処理が行われ、処理を終了する。
【０１０２】
一方、ステップＳ２１において、ボタン３Ｌが操作されていないと判定された場合、ステップＳ２３に進み、「後退」の意味を持つボタン３Ｒが操作されたか否かが判定される。ステップＳ２３において、ボタン３Ｒが操作されたと判定された場合、ステップＳ２４に進み、いま表示されている新聞データに代えて、その上位階層に属する新聞データを表示装置２に表示させるため処理が行われ、処理を終了する。また、ステップＳ２３において、ボタン３Ｒが操作されていないと判定された場合、ステップＳ２４をスキップして、処理を終了する。
【０１０３】
再び図１１に戻り、ステップＳ５において、カーソル１が、特定領域内に位置していないと判定された場合、即ち、カーソル１が、情報表示領域３２および背景３３以外の領域であるページアイコン部４２（図５）に位置している場合、ステップＳ８に進み、処理装置９によって、カーソル１が選択カーソル（図９（ｂ））に変更されるとともに、ページアイコン部４２が強調され、ステップＳ９に進む。ステップＳ９では、装置のモードが選択モードとされ、ステップＳ１に戻る。
【０１０４】
装置のモードが選択モードとされた場合において、マウス３のボタン３Ｌまたは３Ｌが操作されたときには、処理装置９では、図１４に示すフローチャートにしたがった処理が行われる。即ち、まず最初に、ステップＳ３１において、「前進」の意味を持つボタン３Ｌが操作されたか否かが判定される。ステップＳ３１において、ボタン３Ｌが操作されたと判定された場合、ステップＳ３２に進み、ボタン３Ｌが操作されたときに、カーソル１が位置しているアイコン（指定されたアイコン）に対応する処理が行われ、処理を終了する。また、ステップＳ３１において、ボタン３Ｌが操作されていないと判定された場合、ステップＳ３２をスキップして、処理を終了する。
【０１０５】
以上、本発明を、新聞データを表示する表示装置に適用した場合について説明したが、本発明は、この他、例えば電子的なイベント情報や、テレビ番組表、インタラクティブな天気予報、ショッピング情報などを階層化した情報を表示する場合に適用可能である。
【０１０６】
なお、本実施例においては、カーソル１を移動させるのにマウス３を用いるようにしたが、その他のポインティングデバイス（但し、「前進」および「後退」の意味を持つボタンやスイッチを有するもの）を用いるようにすることが可能である。即ち、例えば磁界の変化を検知するパッドなどを、カーソル１を移動させるのに用いるようにすることが可能である。この場合、カーソル１の移動は、パッド上に、例えば指先をのせて移動させることにより行われる。
【０１０７】
また、本実施例では、領域の強調を、表示を明るくすることにより行うようにしたが、その他、例えば領域を太線などで囲むことなどにより、その領域を強調するようにすることなどが可能である。
【０１０８】
【発明の効果】
以上の如く、本発明によれば、いま表示されている情報に代えて他の情報を表示させるためのコマンドに対応する表示を、表示画面上に配置しなくて済むので、表示画面の構成を簡素化することができ、その結果、装置のコストを低減し、表示した情報の相対的価値を向上させることができる。
【０１０９】
さらに、表示画面の第１および第２のエリアのうちのいずれが指示されたかによって、いま表示されている情報と同階層に属する他の情報か、あるいはその情報と異なる階層に属する情報が、いわば一意的に表示されるので、ユーザは複数の操作を行わずに済み、従って装置の操作性を向上させることができる。
【図面の簡単な説明】
【図１】本発明の表示装置の一実施例の構成を示すブロック図である。
【図２】図１のマウス３の詳細構成を示す図である。
【図３】図１のキーボード４の一部のキーを説明する図である。
【図４】図１の処理装置９の詳細構成を示すブロック図である。
【図５】図１の表示装置２の表示画面３１を説明する図である。
【図６】図１の処理装置９において、カーソル１の位置と、マウス３のボタン３Ｌ，３Ｒの操作にしたがって行われる処理を説明する図である。
【図７】ページめくりモード時の表示画面３１の状態と、カーソル１の形状を説明する図である。
【図８】階層変更モード時の表示画面３１の状態と、カーソル１の形状を説明する図である。
【図９】選択モード時の表示画面３１の状態と、カーソル１の形状を説明する図である。
【図１０】マウス３の操作により、表示装置２に表示される新聞データが変更される様子を説明する図である。
【図１１】図１の実施例の動作を説明するフローチャートである。
【図１２】ページめくりモード時の処理装置９の動作を説明するフローチャートである。
【図１３】階層変更モード時の処理装置９の動作を説明するフローチャートである。
【図１４】選択モード時の処理装置９の動作を説明するフローチャートである。
【図１５】従来のテレビゲーム用のコンピュータの一例の構成を示す図である。
【図１６】従来のコンピュータの画面の構成例を示す図である。
【図１７】図１６の画面に表示されたウインドウを示す図である。
【図１８】図１６の画面を構成するコンピュータにおいて用いられるマウス１０１の構成の一例を示す図である。
【図１９】従来のコンピュータの画面の他の構成例を示す図である。
【図２０】図２０の画面に表示されたウインドウを示す図である。
【図２１】図１９の画面を構成するコンピュータにおいて用いられるマウス１０１の構成の一例を示す図である。
【符号の説明】
１  カーソル
２  表示装置
３  マウス
３Ｌ，３Ｒ  ボタン
４  キーボード
５  表示制御装置
６  座標検出装置
７  指示検出装置
８  拡張入力検出装置
９  処理装置
１０  記録媒体
１１  背景制御（Background Control）部
１２  ページアイコン制御（Page Indication Control）部
１３  見出し制御（Article Index Control）部
１４  記事制御（Object Index Control）部
１５  素材制御（Object Controls）部
１６  オプション機能制御（Switch Controls）部
１７  コンフィグレイションマネジャ（Configuration Manager）
１８  ページレイアウトマネジャ（Page Layout Manager）
１９  アーティクルマネジャ（Article Maneger）
２０  オブジェクトマネジャ（Object Maneger）
２１乃至２７  ファイル
３１  表示画面
３２  情報表示領域
３３  背景
３４  ページアイコン
３５，３６  移動ボタン
３７  記事
３８  補足領域
３９  タイトル領域
４０  情報領域
４１  オプションアイコン
４２  ページアイコン部
５１乃至５６  画面
６１，６２  領域
１０１  マウス
１０２Ｌ，１０２Ｒ  ボタン
１１１  表示画面
１１２  背景
１１３  選択肢表示領域
１１４，１１５  ウインドウ
１１６  ヘッダ
１１６ａ  ウインドウ名表示領域
１１７  情報表示領域
１１８，１１９  アイコン
１２０  ウインドウ
１２１  クローズボックス
１２２  拡大ボックス
１２３  制御ボックス
１３０  コントローラ
１３１乃至１３５  ボタン
１３６  十字カーソルキー
【図１】
0003922395.tif 000002
【図２】
0003922395.tif 000003
【図３】
0003922395.tif 000004
【図４】
0003922395.tif 000005
【図５】
0003922395.tif 000006
【図６】
0003922395.tif 000007
【図７】
0003922395.tif 000008
【図８】
0003922395.tif 000009
【図９】
0003922395.tif 000010
【図１０】
0003922395.tif 000011
【図１１】
0003922395.tif 000012
【図１２】
0003922395.tif 000013
【図１３】
0003922395.tif 000014
【図１４】
0003922395.tif 000015
【図１５】
0003922395.tif 000016
【図１６】
0003922395.tif 000017
【図１７】
0003922395.tif 000018
【図１８】
0003922395.tif 000019
【図１９】
0003922395.tif 000020
【図２０】
0003922395.tif 000021
【図２１】
0003922395.tif 000022